(57)【要約】【課題】蒸れや違和感等の装着感の悪化を抑制しつつ、着用者の股下から腹側に延びる領域のフィット性を高め、前漏れを抑制できる吸収性物品を提供する。【解決手段】吸収性物品は、ウイングが配置された中央領域Ｓ３の前後方向の長さが、ウイングよりも前側に位置する前領域Ｓ１の前後方向の長さよりも長い。物品本体２の圧搾部は、幅方向外側に突出する第１突出部８１と、第１突出部よりも前側において幅方内側に突出する第２突出部８２と、第２突出部よりも前側において幅方外側に突出する第３突出部８３と、第３突出部よりも前側において幅方内側に突出する第４突出部８４と、を有する。第２突出部の頂点８２Ｔ、第３突出部の頂点８３Ｔ、及び第４突出部の頂点８４Ｔは、中央領域の前後方向中心よりも前側に位置する。【選択図】図２
2015195814.tif 000002
【特許請求の範囲】
【請求項１】
前後方向及び当該前後方向に直交する幅方向と、肌対向面およびその反対側に位置する非肌対向面と、
表面シート、吸収体、及び裏面シートが重なる物品本体と、
前記物品本体よりも幅方向外側に延出する一対のウイングと、を有し、
ウイングが配置された中央領域と、前記ウイングの前端縁よりも前側に位置する前領域と、前記ウイングの後端縁よりも後側に位置する後領域と、を有する吸収性物品であって、
前記中央領域の前後方向の長さは、前記前領域の前後方向の長さよりも長く、
前記吸収体の中央は、前記肌対向面側に向かって中高に形成されており、
前記物品本体には、前記吸収体と前記表面シートが厚み方向に圧搾された圧搾部が形成されており、
前記圧搾部は、前記吸収体の幅方向中心を通り、かつ前後方向に延びる幅方向中心線に対して対称な形状であり、
前記圧搾部は、前記幅方向外側に突出する第１突出部と、前記第１突出部よりも前側において前記幅方内側に突出する第２突出部と、前記第２突出部よりも前側において前記幅方外側に突出する第３突出部と、前記第３突出部よりも前側において前記幅方内側に突出する第４突出部と、を有しており、
前記第２突出部の頂点、前記第３突出部の頂点、及び前記第４突出部の頂点は、前記中央領域の前記前後方向中心よりも前側に位置する、吸収性物品。
【請求項２】
前記第２突出部の曲率半径は、前記第１突出部の曲率半径よりも小さく、かつ前記第３突出部の曲率半径よりも小さい、請求項１に記載の吸収性物品。
【請求項３】
前記第３突出部の曲率半径は、前記第１突出部の曲率半径よりも小さい、請求項１又は請求項２に記載の吸収性物品。
【請求項４】
前記吸収体の中高部分よりも前側、かつ前記中央領域よりも前側には、前記幅方向に延びる幅方向圧搾部が形成されており、
前記幅方向圧搾部は、前記幅方向中心が前側に向かって突出する形状を有する、請求項１から請求項３のいずれかに記載の吸収性物品。
【請求項５】
前記表面シートは、エアスルー不織布からなり、
前記表面シートには、点状の圧搾部が間隔を空けて複数形成されている、請求項１から請求項４のいずれかに記載の吸収性物品。
【発明の詳細な説明】
【技術分野】
【０００１】
本発明は、吸収体を有する物品本体と、物品本体よりも幅方向に延出するウイングと、を備える吸収性物品に関する。
【背景技術】
【０００２】
従来、吸収体を有する物品本体と、物品本体よりも幅方向に延出するウイングと、を有する吸収性物品が知られている。このような吸収性物品において、経血の前漏れを抑制するために、ウイングが配置された中央領域よりも前側に位置する前領域の前後方向の長さを、中央領域の前後方向の長さよりも長くし、かつ中央領域よりも後方に位置する後領域の前後方向の長さよりも長くした吸収性物品が提供されている（特許文献１の図５参照）。特許文献１の吸収性物品は、前領域の前後方向の長さが比較的長いため、着用者の股下から腹側に延びる領域を広い面積で覆うことができ、前漏れを抑制する。
【先行技術文献】
【特許文献】
【０００３】
【特許文献１】特許３８１６９２４号公報
【発明の概要】
【発明が解決しようとする課題】
【０００４】
しかし、上述の吸収性物品は、以下の問題があった。
【０００５】
特許文献１の吸収性物品は、比較的広い面積で着用者の股下から腹側に延びる領域を覆うが、当該吸収性物品が着用者の身体にフィットしていないと、吸収性物品と着用者との隙間から漏れが発生するおそれがある。また、前領域の前後方向の長さが比較的長いため、当該吸収性物品が着用者の身体にフィットしていないと、着用者の股下から腹側に延びる領域において吸収性物品が依れて、装着時に違和感が生じるおそれがある。加えて、着用者の股下から腹側に延びる領域を覆う面積が広いため、蒸れが発生し易い傾向がある。
【課題を解決するための手段】
【０００６】
また、吸収性物品を使用する着用者の生活習慣は、宗教や文化によって異なる。本出願人が種々の生活習慣を有する着用者の使用態様を調査した結果、例えば、陰毛を剃毛する習慣を有する着用者がいることがわかった。陰毛を剃毛する習慣を有する着用者は、股下から前側に延びる領域と吸収性物品の間に隙間が生じ易く、特に前漏れが発生しやすい傾向にあることがわかった。
【０００７】
そこで、本発明は、上述の課題に鑑みてなされたものであり、蒸れや違和感等の装着感の悪化を抑制しつつ、着用者の股下から腹側に延びる領域のフィット性を高め、前漏れを抑制できる吸収性物品を提供することを目的とする。
【０００８】
本開示に係る吸収性物品は、前後方向（前後方向Ｌ）及び当該前後方向に直交する幅方向（幅方向Ｗ）と、肌対向面およびその反対側に位置する非肌対向面と、吸収体、表面シート、及び裏面シートが重なる物品本体（物品本体２）と、前記物品本体よりも幅方向外側に延出するウイング（ウイング４１）と、を有し、ウイングが配置された中央領域（中央領域Ｓ３）と、前記ウイングの前端縁よりも前側に位置する前領域（前領域Ｓ１）と、前記ウイングの後端縁よりも後側に位置する後領域（後領域Ｓ２）と、を有する吸収性物品であって、前記中央領域の前後方向の長さは、前記前領域の前後方向の長さよりも長く、前記吸収体の中央は、前記肌対向面側に向かって中高に形成されており、前記物品本体には、前記吸収体と前記表面シートが厚み方向に圧搾された一対の圧搾部（圧搾部８０）が形成されており、前記一対の圧搾部は、前記吸収体の前後方向に延びる幅方向中心線に対して対称な形状であり、前記圧搾部は、前記幅方向外側に突出する第１突出部（第１突出部８１）と、前記第１突出部よりも前側において前記幅方内側に突出する第２突出部（第２突出部８２）と、前記第２突出部よりも前側において前記幅方外側に突出する第３突出部（第３突出部８３）と、前記第３突出部よりも前側において前記幅方内側に突出する第４突出部（第４突出部８４）と、を有しており、前記第２突出部の頂点（頂点８２Ｔ）、前記第３突出部の頂点（頂点８３Ｔ）、及び前記第４突出部の頂点（頂点８４Ｔ）は、前記中央領域の前記前後方向中心よりも前側に位置することを要旨とする。
【発明の効果】
【０００９】
蒸れや違和感等の装着感の悪化を抑制しつつ、着用者の股下から腹側に延びる領域のフィット性を高め、前漏れを抑制できる吸収性物品を提供することができる。
【図面の簡単な説明】
【００１０】
【図１】実施形態に係る吸収性物品の平面図である。
【図２】図１に示すＡ−Ａ断面図である。
【図３】図１に示す平面図における圧搾部の拡大図である。
【図４】着用状態の吸収性物品を模式的に示す図である。
【発明を実施するための形態】
【００１１】
図１から図４を参照して、実施形態に係る吸収性物品について説明する。図１は、吸収性物品の平面図である。図２は、図１に示す吸収性物品のＡ−Ａ断面図である。本実施形態に係る吸収性物品１は、例えば、生理用ナプキンである。
【００１２】
なお、以下の図面の記載において、同一または類似の部分には、同一または類似の符号を付している。ただし、図面は模式的なものであり、各寸法の比率などは現実のものとは異なることに留意すべきである。したがって、具体的な寸法などは以下の説明を参酌して判断すべきものである。また、図面相互間においても互いの寸法の関係や比率が異なる部分が含まれていることは勿論である。
【００１３】
（１）吸収性物品の全体構成
吸収性物品１は、着用者の身体前側と身体後側とに延びる前後方向Ｌと、前後方向に直交する幅方向Ｗと、厚み方向Ｔと、を有する。厚み方向Ｔは、肌対向面側Ｔ１およびその反対側に位置する非肌対向面側Ｔ２を有する。
【００１４】
吸収性物品１の平面視の形状は、前後方向に縦長の長方形、楕円型、及び瓢箪型を例示でき、女性の身体及び下着の形状に適合する形状であれば特に限定されない。
【００１５】
吸収性物品１は、表面シート、吸収体、及び裏面シートが重なる物品本体２と、物品本体２よりも幅方向外側に延出する一対のウイング４１と、を有する。
【００１６】
吸収性物品１は、ウイング４１が配置された中央領域Ｓ３と、ウイング４１の前端縁４１Ｆよりも前側に位置する前領域Ｓ１と、ウイングの後端縁４１Ｒよりも後側に位置する後領域Ｓ２と、を有する。前領域Ｓ１は、吸収性物品１の前端縁１Ｆからウイングの前端縁４１Ｆまでの領域である。後領域Ｓ２は、吸収性物品１の後端縁１Ｒからウイングの後端縁４１Ｒまでの領域である。中央領域Ｓ３の前後方向の長さは、前領域Ｓ１の前後方向の長さよりも長い。前領域Ｓ１の前後方向の長さは、後領域Ｓ２の前後方向の長さよりも短い。なお、前領域Ｓ１の前後方向の長さは、６０ｍｍ以上である。
【００１７】
なお、ウイングの前端縁及び後端縁は、次のように定義できる。前領域（又は後領域）の外側縁がウイングに向かうにつれて幅方向内側に延びる吸収性物品にあっては、最も幅方向内側に括れた箇所がウイングの前端縁（又は後端縁）となる。前領域（又は後領域）の外側縁が前後方向に沿う直線状の吸収性物品にあっては、前後方向に沿った線と、ウイングにおいて幅方向外側に延びる線と、の変曲点が、ウイングの前端縁（又は後端縁）となる。
【００１８】
また、前領域（又は後領域）の外側縁がウイングに向かうにつれて幅方向外側に延びる吸収性物品にあっては、当該ウイングに向かうにつれて幅方向外側に延びる線と、ウイングにおいて幅方向外側に延びる線と、の変曲点である。ウイングに向かうにつれて幅方向外側に延びる線は、前後方向に沿った線となす角度が３０度以内の線である。ウイングにおいて幅方向外側に延びる線は、幅方向に沿った線となす角度が３０度以内の線である。
【００１９】
物品本体２は、表面シート１０と、裏面シート２０と、表面シート１０と裏面シートの間に位置する吸収体３０とを有する。表面シート１０は、液透過性を有し、着用者の肌に対向する肌対向面側に位置する。裏面シート２０は、液不透過性を有し、肌対向面と反対側の非肌対向面側に位置する。吸収体３０は、表面シート１０と裏面シート２０との間に配設される。従って、吸収体３０は、図１において破線で示される。更に、吸収性物品１は、幅方向Ｗにおいて吸収体３０の幅方向外側に設けられるサイドシート１５を備える。
【００２０】
ウイング４１は、物品本体２よりも幅方向外側に延出する。ウイングは、サイドシート１５と、裏面シート２０と、を有する。
【００２１】
表面シート１０は、体液等の液体を透過する液透過性のシートである。表面シート１０は、少なくとも吸収体３０の表面を覆う。本実施の形態の表面シート１０は、エアスルー不織布からなる。また、表面シート１０には、点状の圧搾部が間隔を空けて複数形成されている。当該点状の圧搾部は、例えば、熱エンボスによって形成できる。
【００２２】
なお、表面シート１０は、不織布、織布、有孔プラスチックシート、メッシュシート等、液体を透過する構造のシート状の材料であれば、特に限定されない。織布や不織布の素材としては、天然繊維、化学繊維のいずれも使用できる。
【００２３】
また、本実施の形態に係る表面シート１０は、１つ又はそれ以上の材料から形成することができる。例えば織布、不織布、ポリマーフィルム、フィルム不織布ラミネートなど、並びにこれらの組み合わせを含むことができる。
【００２４】
裏面シート２０は、表面シート１０の長さと略同一の長さを有する。裏面シート２０は、ポリエチレン、ポリプロピレン等を主体としたフィルム、通気性の樹脂フィルム、スパンボンド又はスパンレース等の不織布に通気性の樹脂フィルムが接合されたシート、ＳＭＳ不織布（スパンボンド不織布）を複数層積層したシート等を好適に用いることができる。裏面シート２０は、着用感を損なわない柔軟性を考慮する、例えば低密度ポリエチレン（LDPE）樹脂を主体とした目付15〜30g/m2の範囲から得られるフィルムを使用することが好ましい。
【００２５】
吸収体３０は、親水性繊維、パルプを含む。吸収体３０の中央（幅方向中央かつ前後方向中央）は、肌対向面側に向かって中高に形成されている。吸収体３０は、下層吸収体３１と、下層吸収体３１上に積層された上層吸収体３２と、によって構成されている。上層吸収体３２は、下層吸収体３１よりも前後方向Ｌ及び幅方向Ｗにおいて小さい。下層吸収体３１と上層吸収体３２とは、別個に構成されていてもよいし、一体化されていてもよい。本実施の形態の下層吸収体３１と上層吸収体３２は、一体化されている。また、下層吸収体３１と上層吸収体３２とは、ホットメルト型接着剤によって貼り合わされている。下層吸収体３１と上層吸収体３２とが積層された部分は、吸収体の中高部分を構成する。図１において、吸収体の中高部分に斜線を付して示す。
【００２６】
吸収体３０は、経血などの体液を吸収可能な材料によって形成される。吸収体３０に適した材料は、例えば、セルロース、木材パルプフラフ、レーヨン、綿、及び、ポリエステル、ポリプロピレン又はコフォームのようなメルトブローン・ポリマーを含む。なお、吸収体は、液体（経血）の吸収保持が可能であれば良く、嵩高であり、型崩れし難く、化学的刺激が少ないものであることが好ましい。
【００２７】
サイドシート１５は、表面シート１０と同様の材料から選ぶことができる。但し、サイドシート１５は、吸収性物品１の幅方向外側へ経血の漏れを防止するために、疎水性又は撥水性を有することが好ましい。具体的には、スパンボンド不織布やＳＭＳ不織布などが挙げられる。サイドシートは、肌との当接面を構成する。そのため、肌への擦れ刺激を低減するためには、エアスルー不織布を用いることが好ましい。
【００２８】
サイドシート１５は、表面シート１０の両側に配設される。サイドシート１５は、吸収体３０の外側縁の一部及びウイング４１を覆う。吸収性物品１では、表面シート１０、サイドシート１５、及び裏面シート２０の周縁が接合されて、吸収体３０が内封される。表面シート１０と裏面シート２０との接合方法としては、ヒートエンボス加工、超音波、又はホットメルト型接着剤のいずれか一つ、又は複数を組み合わせることが可能である。
【００２９】
裏面シート２０において、下着と接触する表面には、粘着剤５０が塗布されている（図２参照）。粘着剤５０は、裏面シート２０の非肌当接面上に粘着剤を塗布するか、剥離シート５１に粘着剤を塗布した後、裏面シート２０の非肌当接面上に転写することによって形成される。粘着剤５０は、吸収性物品の幅方向における中央において前後方向Ｌに延びるストライプ状に複数配置されている。粘着剤５０は、ウイング４１の非肌対向面（下着と接触する表面）にも設けられる。
【００３０】
使用前の状態では、粘着剤５０は、剥離シート５１によって覆われている。剥離シート５１は、使用前に粘着剤が劣化するのを防止している。そして、使用時に着用者によって剥離シートが剥離されることにより、粘着剤が露出する。なお、包装シートによって吸収性物品が個別に包装される形態にあっては、剥離シートを備えず、包装シートによって粘着剤が覆われるように構成してもよい。
【００３１】
粘着剤としては、例えば、熱可塑性高分子としてスチレン系ブロックポリマー、粘着付与剤樹脂として天然樹脂や合成樹脂系、可塑性材料としてパラフィン系オイルが用いられる。上記スチレン系ブロックポリマーとしては、スチレンーエチレンーブタジエンースチレンブロック共重合体（SEBS)、スチレンーブタジエンースチレンブロック共重合体（SBS）、スチレンーイソプレンースチレンブロック共重合体（SIS)、スチレン−エチレン−プロピレン−スチレン共重合体（ＳＥＰＳ）等が挙げられる。
【００３２】
また、可塑性材料は、粘度を下げるパラフィンオイル系、タック性を上げるナフテンオイル、凝集力を下げたり色や臭いを付与したりするアロマオイルが挙げられる。粘着剤の塗布坪量は１０〜１００g/ｍ２であり、好ましくは２０〜５０g/ｍ２である。塗布坪量が１０g/ｍ２より低い場合は、粘着力を十分に得られず、吸収性物品が下着から落ちたり、下着に対してずれたりすることがある。一方、塗布坪量が１００g/ｍ２より高い場合は、粘着力が高すぎ、吸収性物品を下着から剥がす際に、吸収性物品が破れたることがある。
【００３３】
吸収性物品は、包装シートによって個別に包装されていてもよい。包装シートの材質は、特に限定されるものではなく、例えば、ポリエチレンやポリプロピレン、ポリエステル等のプラスチックフィルムやナイロンフィルムなどの各種フィルム、硫酸バリウムなどのフィラーを入れて延伸させた通気性フィルム、不織布をラミネートさせたフィルム等が挙げられる。更に、粘着剤を包装シートによって保護する形態にあっては、包装シートの表面に粘着剤の粘着力を低下させることなく剥離可能にする処理を施す。
【００３４】
表面シート、吸収体、裏面シートは、それぞれの層間分離を防止するために接合されていることが好ましい。また、吸収体の周縁において、表面シートと裏面シートが接合され吸収体が内封されていることが好ましい。これらの接合は、ヒートエンボス加工、超音波、ホットメルト型接着剤等を単独もしくは組み合わせて使用することが可能である。
【００３５】
物品本体２には、吸収体３０と表面シート１０が厚み方向に圧搾された圧搾部８０が形成されている。圧搾部８０は、表面シートの肌対向面から非肌対向面側に凹むとともに、吸収体の非肌対向面から肌対向面側に凹んでいる。肌当接面側の圧搾部の加工は、表面シートの肌対向面に施されている。肌当接面側の圧搾部は、吸収性物品の表面から１段階低く形成されている。非肌対向面側の圧搾部の加工は、吸収体の非肌対向面に施されている。非肌対向面側の圧搾部は、吸収性物品の表面から２段階で形成されており、低圧搾部と高圧搾部が交互に設けられている。
【００３６】
圧搾部８０は、吸収体が配置された領域内に設けられており、その形状は、四角形や楕円形のように閉じた線で囲まれた多角形や円形である。圧搾部の形状は、吸収性物品の長手方向または幅方向に沿って延びた直線や曲線であればよい。
【００３７】
肌当接面側の圧搾部と非肌対向面側の圧搾部を足した深さは、0.1mm以上20mm以下が好ましいが、吸収性物品の厚みより小さければよい。肌当接面側の圧搾部の深さは、吸収性物品の厚みに対する20〜80%であればよいが、液体の流通性と圧搾部を折り起点とした変形性を考慮すると30〜60%が好ましい。また、非肌対向面側の高圧搾部と低圧搾部は、それぞれ吸収性物品の厚みにする5〜20%であればよい。低圧搾部の深さは、高圧搾部の深さよりも小さい。例えば、非肌対向面側の圧搾部の深さが5％より小さく場合は、圧搾部の変形性及び可撓性が悪くなる。また、非肌対向面側の圧搾部の深さが20％より大きい場合は、圧搾部自体が深くなり、脆弱になる。具体的には、厚みが7mmの吸収性物品においては、肌対向面側の圧搾部が4mmであり、非肌対向面側の低圧搾部が0.2mm、高圧搾部が0.8mmであることが好ましい。
【００３８】
非肌対向面側の圧搾部の形状は、ドット状、格子状、楕円状などが挙げられるが、低圧搾部と高圧搾部を交互に配置する場合は格子状の圧搾部であると、加工が容易である。圧搾部の面積は、0.5mm2から100mm2であることが好ましい。圧搾部のピッチは、0.5mmから3mmであることが好ましい。
【００３９】
圧搾部の加工方法は、例えば以下のような方法が挙げられる。上下方向に向かい合うエンボスロールの間に吸収性物品を通過させて、圧搾部を加工することができる。上側のエンボスロールが吸収性物品の肌当接面側に圧着する場合、エンボスロールには1段階の深さが連続した略楕円形状の圧搾部が配置されている。下側のエンボスロールは非肌対向面側とする場合、エンボスロールには2段階の深さからなる圧搾部加工がロールの全面に施されている。圧搾部の加工方法はこれに限らず、ロールの上下を反転させたり、２段階の深さのパターン形状を変更したり、エンボス条件である温度やロール間の距離を適宜調整してもよい。        
【００４０】
（２）圧搾部の形状
次いで、図３に基づいて圧搾部の平面視の形状について詳細に説明する。圧搾部８０は、吸収体３０の幅方向中心を通り、かつ前後方向Ｌに延びる幅方向中心線１ＣＬに対して対称な形状である。圧搾部８０は、環状の環状圧搾部Ｃ８０と、環状圧搾部内に設けられた幅方向圧搾部Ｗ８０と、環状圧搾部の後方に位置する後部圧搾部Ｒ８０と、を有する。
【００４１】
環状圧搾部Ｃ８０は、幅方向外側に突出する第１突出部８１と、第１突出部８１よりも前側において幅方内側に突出する第２突出部８２と、第２突出部よりも前側において幅方外側に突出する第３突出部８３と、第３突出部８３よりも前側において幅方内側に突出する第４突出部８４と、を有する。第１突出部８１、第２突出部８２、第３突出部８３及び第４突出部８４は、前後方向に連続して設けられている。
【００４２】
第１突出部８１の頂点８１Ｔは、中央領域Ｓ３の前後方向中心Ｓ３ＣＬよりも後側に位置する。第２突出部８２の頂点８２Ｔ、第３突出部８３の頂点８３Ｔ、及び第４突出部８４の頂点８４Ｔは、中央領域Ｓ３の前後方向中心Ｓ３ＣＬよりも前側に位置する。第１突出部８１の頂点８１Ｔ、第２突出部８２の頂点８２Ｔ、第３突出部８３の頂点８３Ｔ、及び第４突出部８４の頂点８４Ｔは、中央領域Ｓ３内に位置する。
【００４３】
なお、中央領域Ｓ３の前後方向中心は、ウイング４１の前端縁４１Ｆとウイング４１の後端縁４１Ｒとの前後方向中心である。突出部の頂点とは、該突出部の幅方向側縁である。具体的には、例えば、第１突出部８１の頂点８１Ｔは、第１突出部の外側縁であり、第２突出部８２の頂点８２Ｔは、第２突出部の内側縁である。また、中央領域Ｓ３の前後方向中心Ｓ３ＣＬは、ウイングの前後方向中心である。
【００４４】
第１突出部８１及び第３突出部８３は、当該突出部よりも幅方向内側に曲率半径の中心を有する円弧形状である。第２突出部８２及び第４突出部８４は、当該突出部よりも幅方向外側に曲率半径の中心を有する円弧形状である。
【００４５】
また、環状圧搾部の前端部は、幅方向中心が前側に向かって突出する形状を有する。環状圧搾部の前端部は、環状圧搾部の前端縁を含み、当該前端縁から幅方向に延びる一定範囲の部分である。環状圧搾部の後端部は、幅方向中心が後側に向かって突出する形状を有する。環状圧搾部の後端部は、環状圧搾部の後端縁を含み、当該後端縁から幅方向に延びる一定範囲の部分である。
【００４６】
第２突出部の曲率半径は、第１突出部の曲率半径よりも小さく、かつ第３突出部の曲率半径よりも小さい。第３突出部の曲率半径は、第１突出部の曲率半径よりも小さい。すなわち、第１突出部の曲率半径を８１Ｒとし、第２突出部の曲率半径を８２Ｒとし、第３突出部の曲率半径を８３Ｒとすると、８２Ｒ＜８３Ｒ＜８１Ｒの関係を満たすように構成されている。
【００４７】
第２突出部の前後方向の長さは、第１突出部の前後方向の長さよりも短く、かつ第３突出部の前後方向の長さよりも短い。第３突出部の前後方向の長さは、第１突出部の前後方向の長さよりも短い。すなわち、第１突出部の前後方向の長さを８１Ｌとし、第２突出部の曲率半径を８２Ｌとし、第３突出部の曲率半径を８３Ｌとすると、８２Ｌ＜８３Ｌ＜８１Ｌの関係を満たすように構成されている。
【００４８】
第１突出部と第２突出部の境界Ｃ１２、第２突出部と第３突出部の境界Ｃ２３及び第３突出部と第４突出部の境界Ｃ３４は、幅方向外側に凸状の曲線から幅方向内側に凸状の曲線に転じる変曲点である。
【００４９】
曲率半径の測定方法は、例えば、次のように測定できる。測定対象の突出部の円弧を特定し、当該円弧の両端間の距離を測定する。円弧の両端間の距離をＷとする。円弧の両端を繋いだ線と、円弧の両端を繋いだ線と直交する直交線と、を設定する。そして、直交線と円弧の交点と、円弧の両端を繋いだ線と、の距離を測定し、当該距離をＸとする。
【００５０】
曲率半径をＹとすると、Ｙは、数１に示す式を満たす。
【００５１】
【数１】
2015195814.tif 000003
数１に示す式を変形し、曲率半径Ｙは、数２に示す式によって求めることができる。
【００５２】
【数２】
2015195814.tif 000004
なお、防漏カフを有する吸収性物品等、弾性体を有する吸収性物品においては、吸収性物品を伸長させた状態で曲率半径を測定する。
【００５３】
幅方向圧搾部Ｗ８０は、吸収体３０の中高部分よりも前側、かつ中央領域Ｓ３よりも前側に形成されている。幅方向圧搾部８５は、幅方向中心が前側に向かって突出する形状を有する。幅方向圧搾部Ｗ８０は、環状圧搾部Ｃ８０内に形成されている。幅方向圧搾部Ｗ８０と環状圧搾部Ｃ８０は、離間している。環状圧搾部Ｃ８０は、吸収体３０の中高部分の外側に設けられており、中高部分と離間している
後部圧搾部Ｒ８０は、環状圧搾部Ｃ８０の後方に位置する。後部圧搾部Ｒ８０は、幅方向中心が後側に向かって突出する形状を有する。後部圧搾部の前端縁は、環状圧搾部Ｃ８０の後端縁よりも前側に位置する。後部圧搾部の後端縁は、環状圧搾部Ｃ８０の後端縁よりも後側に位置する。後部圧搾部Ｒ８０と環状圧搾部Ｃ８０は、離間している。
【００５４】
（３）作用・効果
図４は、着用状態の吸収性物品を模式的に示した図である。物品本体が下着Ｐのクロッチ域の肌対向面に接合され、ウイング４１がクロッチ域の非肌当接面に折り返されて、接合されている。着用時に着用者の脚によって吸収性物品が挟まれたり、装着時に着用者が脚を動かしたりすると、吸収性物品の圧搾部に力が掛かり、当該圧搾部を基点に変形する。このとき、比較的幅方向外側に位置する第１突出部及び第３突出部に力が掛かり、第１突出部及び第３突出部よりも幅方向内側に位置する第２突出部に力が集まる。よって、吸収体は、左右の第２突出部を基点に着用者側に持ち上がり、肌対向面側に凸状に変形する。よって、吸収性物品のフィット感が向上する。
【００５５】
吸収体の変形の基点となる第２突出部は、中央領域の前後方向中心よりも前側に位置するため、吸収体の変形基点がウイングの前後方向中心よりも前側に位置し、ウイングの前後方向中心よりも前側において身体と吸収性物品との隙間をより少なく出来る。ウイングの前後方向中心よりも前側の吸収体を持ち上げてフィット性を高め、前漏れを低減できる。
【００５６】
前領域の前後方向の長さは、中央領域の前後方向の長さよりも短い。そのため、着用者の股下から腹側に延びる領域を覆う面積が広いことによる蒸れを抑制できる。このように前領域の前後方向の長さを中央領域の前後方向の長さよりも長くすることなく前漏れを防ぐことができるため、蒸れや違和感等の装着感の悪化を抑制しつつ、前漏れを抑制できる。
【００５７】
また、ウイングの前後方向の長さは、前領域の前後方向の長さよりも長く、具体的には、６０ｍｍ以上である。ウイングの前後方向の長さが比較的長いため、ウイングによって吸収性物品を下着に安定させて固定でき、吸収性物品がずれにくくなり、着用者の身体と吸収性物品とのフィット性を維持できる。よって、陰毛を剃毛する習慣を有する着用者においても、前漏れを抑制することができる。
【００５８】
更に、陰毛を剃毛する習慣を有する着用者は、陰毛が生え始めのときに、陰毛が吸収性物品の表面に引っかかって違和感が生じたり、チクチクした違和感が生じたりして、装着感が悪化することがある。しかし、本実施の形態の吸収性物品は、前方陰唇部よりも前側において吸収性物品がフィットするため、生え始めた陰毛による違和感を抑制できる。
【００５９】
本実施の形態の吸収性物品は、前領域の前後方向の長さが６０ｍｍ以上である、中央領域の前後方向の長さが、前領域の前後方向の長さよりも長い。そのため、ウイングの前後方向中心から吸収性物品の前端縁までの長さは、９０ｍｍ以上である。また、ウイングの前後方向中心は、装着時に取りつけ位置の中心の目安となる位置であり、着用者の膣口に当接する位置に装着される。一般的に、前陰唇交連から膣口までの平均長さは、７０ｍｍ程度である。ウイングの前後方向中心から吸収性物品の前端縁までの長さが９０ｍｍ以上であることにより、前方陰唇部を吸収性物品によって覆うことができ、前漏れを抑制できる。
【００６０】
また、吸収体３０の中央は、肌対向面側に向かって中高に形成されているため、フィット性が向上する。更に、吸収体３０の中央は、比較的多く体液が排出される部分である。吸収体３０の中央が中高であるため、当該部分の吸収容量が高くなり、漏れを抑制できる。
【００６１】
第２突出部の曲率半径は、第１突出部の曲率半径よりも小さく、かつ第３突出部の曲率半径よりも小さい。第２突出部の曲率半径が、隣接する突出部の曲率半径よりも小さいため、第２突出部の頂点に局所的に力を掛けることができる。吸収体の変形起点が明確になり、変形状態を安定して維持できる。
【００６２】
第２突出部よりも前側に位置する第３突出部の曲率半径が、第２突出部よりも後側に位置する第１突出部の曲率半径よりも大きいため、中央領域の前側の変形を中央領域の後側の変形よりも安定化できる。
【００６３】
また、第２突出部よりも後側に位置する第１突出部の長さは、第２突出部よりも前側に位置する第３突出部の長さよりも長いため、後側に位置する第１突出部の円弧曲線を第３突出部の円弧曲線よりも緩やかにし、吸収体が臀部に沿いやすくなり、漏れを低減できる。
【００６４】
吸収体の中高部分よりも前側、かつ中央領域よりも前側には、幅方向に延びる幅方向圧搾部が形成されている。吸収体が幅方向外側から幅方向内側に押圧された際に、幅方向圧搾部によって吸収体の変形を抑制し、吸収体の幅を確保できる。よって、吸収体の前端縁が依れることを抑制でき、前漏れを低減できる。また、幅方向圧搾部は、中高部分よりも前側に位置しており、幅方向中心が前側に向かって突出する形状を有するため、中高部分における体液の吸収性能を阻害することなく、吸収体を前後方向に沿って変形できる。
【００６５】
表面シートは、エアスルー不織布からなる。エアスルー不織布は、不織布の中で毛羽立ちが生じ難いが、高い柔軟性を有する。当該エアスルー不織布によって表面シートが構成されているため、陰毛がこすれたり刺さったりした際にも、毛羽立ち難く柔らかい触感を着用者に与えることができる。更に、表面シートに点状の圧搾部が形成されているため、更に毛羽立ちが生じ難くなる。また、表面シートに点状の圧搾部が形成されているため、表面シートと肌との接触面積が少なくなり、違和感を低減できる。
【００６６】
（４）その他の実施形態
上述したように、本発明の実施形態を通じて本発明の内容を開示したが、この開示の一部をなす論述及び図面は、本発明を限定するものであると理解すべきではない。この開示から当業者には様々な代替実施形態、実施例及び運用技術が明らかとなる。
【００６７】
例えば、吸収性物品は、サイドシートを備えず、表面シートがウイングの外端縁まで延びるように構成されていてもよい。当該吸収性物品のウイングは、表面シート、裏面シート、及び補助シートによって構成される。また、ウイングは、補助シートを備えていなくてもよい。当該ウイングは、表面シートと裏面シート、又はサイドシートと裏面シートによって構成される。
【００６８】
また、吸収性物品は、サイドシートの内側縁において前後方向に延びる弾性部材を有し、吸収体の側縁部の肌対向面側に配置された防漏カフを備えていてもよい。
【００６９】
吸収性物品の圧搾部の形状は、実施の形態の形状に限定されない。例えば、圧搾部が着用者の股間形状を模写した形状であることにより、着用者の股間形状により沿い易くなる。
【００７０】
また、変形例に係る吸収性物品は、第２突出部の曲率半径が、第１突出部の曲率半径よりも大きく、かつ第３突出部の曲率半径よりも大きく構成されていてもよい。
【００７１】
変形例に係る吸収性物品は、第３突出部の曲率半径が、第１突出部の曲率半径よりも大きく構成されていてもよい。
【００７２】
変形例に係る吸収性物品は、幅方向圧搾部が形成されていなくてもよいし、幅方向圧搾部が中央領域内に形成されていてもよいし、幅方向圧搾部が中高部分に重なって形成されていてもよい。
【００７３】
表面シートには、点状の圧搾部が間隔を空けて形成されていなくてもよい。
【符号の説明】
【００７４】
１        ：吸収性物品
１ＣＬ    ：幅方向中心
１Ｆ      ：前端縁
１Ｒ      ：後端縁
２        ：物品本体
１０      ：表面シート
１５      ：サイドシート
２０      ：裏面シート
３０      ：吸収体
３１      ：下層吸収体
３２      ：上層吸収体
４１      ：ウイング
４１Ｆ    ：前端縁
４１Ｒ    ：後端縁
５０      ：粘着剤
５１      ：剥離シート
８０      ：圧搾部
Ｃ８０    ：環状圧搾部
Ｒ８０    ：後部圧搾部
Ｗ８０    ：幅方向圧搾部
８１      ：第１突出部
８１Ｔ    ：第１突出部の頂点
８２      ：第２突出部
８２Ｔ    ：第２突出部の頂点
８３      ：第３突出部
８４      ：第４突出部
８５      ：幅方向圧搾部
Ｃ１２    ：境界
Ｃ２３    ：境界
Ｃ３４    ：境界
Ｌ        ：方向
Ｓ１      ：前領域
Ｓ２      ：後領域
Ｓ３      ：中央領域
Ｔ        ：厚み方向
Ｔ１      ：肌対向面側
Ｔ２      ：非肌対向面側
Ｗ        ：幅方向
【図１】
2015195814.tif 000005
【図２】
2015195814.tif 000006
【図３】
2015195814.tif 000007
【図４】
2015195814.tif 000008